(57)【要約】【課題】  基板を支持体に取り付けるのに不可欠な皿頭付き取付ねじを締め付けるという作業を行うだけで、基板が支持体の適正位置に対して位置ずれすることなく精度よく支持体に取り付けられるようになる光ピックアップを提供する。【解決手段】  支持体１に取り付けた基板３から延び出た弾性を備える複数本のワイヤ４１によりレンズホルダー６を変位可能に支持させる。ワイヤ４１の一端部４２を基板３のワイヤ通し孔に挿通してその基板３に半田付けする。支持体１と基板３との取付箇所では、取付具８のねじ孔８１にねじ込んだ皿頭付き取付ねじ５の頭部裏面のテーパ面５３が、基板３のＶ形開口縁を形成している２つの端縁９２，９２に当接してその基板３を押し付けていて、その押付け方向に位置する基板３側の基準当り面３４が、支持体１の基準受面１５に押し付けられている。【選択図】        図３
2005174494.tif 000002
【特許請求の範囲】
【請求項１】
支持体の基板受面に重なり状に取り付けられた基板から延び出た弾性を備えるワイヤにより、対物レンズを備えるレンズホルダーが変位可能に支持され、そのレンズホルダーの変位によって上記対物レンズが位置制御されるようになっている光ピックアップにおいて、
互いに平行に配備された複数本の上記ワイヤによって形成されたワイヤ群が、上記支持体を挟む両側に対称に配備されていて、それぞれのワイヤ群を形成している個々のワイヤの一端部が、上記基板の複数箇所に具備されたワイヤ通し孔に各別に挿通されてその基板に半田付けによって固着されており、
上記レンズホルダーを変位させるための制御要素を形成している複数のコイルが当該レンズホルダーに具備され、それらのコイルのそれぞれと上記基板の回路パターンとが各別の上記ワイヤを介して電気的接続され、
上記支持体と上記基板との取付箇所では、上記支持体をベース部材に固定している取付具のねじ孔にねじ込まれた皿頭付き取付ねじの頭部裏面のテーパ面が、上記基板に具備された略三角形の開口のＶ形開口縁を形成している２つの端縁に当接してその基板をその板面に沿う方向に押し付けていると共に、その押付け方向に位置する上記基板の一辺によって形成された基準当り面が、上記支持体の基板受面から突出した段付面でなる基準受面に押し付けられて上記基板が上記支持体に対して位置決めされていることを特徴とする光ピックアップ
【請求項２】
支持体の基板受面に重なり状に取り付けられた基板から延び出た弾性を備えるワイヤにより、対物レンズを備えるレンズホルダーが変位可能に支持され、そのレンズホルダーの変位によって上記対物レンズが位置制御されるようになっている光ピックアップにおいて、
上記ワイヤの一端部が上記基板に具備されたワイヤ通し孔に挿通されてその基板に固着され、上記支持体と上記基板との取付箇所では、上記支持体側の定位置に具備されているねじ孔にねじ込まれた皿頭付き取付ねじの頭部裏面のテーパ面が、上記基板に具備されたＶ形開口縁を形成している２つの端縁に当接してその基板をその板面に沿う方向に押し付けていると共に、その押付け方向に位置する上記基板の一辺によって形成された基準当り面が、上記支持体の基板受面から段付状に突出した基準受面に押し付けられて上記基板が上記支持体に対して位置決めされていることを特徴とする光ピックアップ
【請求項３】
上記基板から平行に延び出た複数本の上記ワイヤによって上記レンズホルダーが変位可能に支持されていて、それらのワイヤのそれぞれの一端部が、上記基板の複数箇所に具備されたワイヤ通し孔に各別に挿通されてその基板に固着されている請求項２に記載した光ピックアップ。
【請求項４】
上記ワイヤの一端部が上記基板に半田付けによって固着されている請求項２又は請求項３に記載した光ピックアップ。
【請求項５】
複数本の上記ワイヤによってワイヤ群が形成されており、そのワイヤ群が、上記支持体を挟む両側に対称に配備されている請求項３又は請求項４に記載した光ピックアップ。
【請求項６】
上記レンズホルダーを変位させるための制御要素を形成しているコイルが当該レンズホルダーに具備され、そのコイルと上記基板の回路パターンとが上記ワイヤを介して電気的接続されている請求項２ないし請求項５のいずれか１項に記載した光ピックアップ。
【発明の詳細な説明】
【技術分野】
【０００１】
本発明は、光ピックアップ、特に、対物レンズを備えるレンズホルダーが、支持体に取り付けられた基板から延び出た弾性を備えるワイヤによって変位可能に支持されている光ピックアップに関する。
【背景技術】
【０００２】
光学ディスク装置に備わっている光ピックアップにおいて、アクチュエータベース上に配設されたダンパボックスに第１中継基板が取り付けられ、この第１中継基板から延び出た複数本の平行な導電性リンクによって、対物レンズを備えたレンズホルダーが変位可能に支えられていて、そのレンズホルダーの変位によって対物レンズがフォーカシング方向やトラッキング方向などに位置制御されるようになっていると共に、上記レンズホルダーにフォーカスコイルやトラッキングコイルが具備され、それらの各コイルと上記第１中継基板とが上記導電性リンクによって電気的接続されている光ピックアップが従来より知られている（たとえば、特許文献１参照）。
【０００３】
また、光ピックアップにおいて、アクトベース（ＡＣＴベース）上に設けられる弾性支持部材とボビンとを傾斜面で当接させると共に、アクトベースと弾性支持部材とに設けた位置決め突起をアクトベースの位置決め孔に嵌合した上で、両者を上記アクトベースにねじ締めして位置決めする構成も知られている（たとえば、特許文献２参照）。
【０００４】
一方、従来の光ピックアップでは、上記ダンパボックスに相当する支持体と上記第１中継基板に相当する基板とを備え、支持体の基板受面に基板を重なり状に取り付ける手段として、基板に形成した丸孔に挿通した取付ねじを、支持体側の定位置に具備されているねじ孔にねじ込んで締め付けるという手段が知られている。
【特許文献１】特開２０００−２２２７５１号公報
【特許文献２】特開２００１−２０２６４２号公報
【発明の開示】
【発明が解決しようとする課題】
【０００５】
しかしながら、従来の光ピックアップのように、支持体の基板受面に重なり状に基板を取り付ける場合に、基板の丸孔に挿通した取付ねじを支持体側のねじ孔にねじ込んで締め付けるという手段を採用すると、取付ねじの締付け時に、取付ねじの締付け操作により基板が回転変位して適正位置に対し位置ずれしてしまうという事態が起こり得る。そのため、他端がレンズホルダーに固着されたワイヤ（上記導電性リンクに相当する）の一端を、支持体に取り付けられた基板のワイヤ通し孔の中心箇所に挿通させて半田付けなどで固着する場合に次のような不都合を生じることがあった。
【０００６】
すなわち、支持体を治具で固定した状態で、その支持体に取り付けられている基板のワイヤ通し孔に、レンズホルダーに固着されたワイヤの一端を挿通させる作業を行うときに、基板が支持体の適正位置に対して位置ずれして取り付けられていることが原因となって、ワイヤの一端を基板のワイヤ通し孔に挿通させることができなくなったり、ワイヤの一端がワイヤ通し孔の偏心箇所に挿通されてしまったりして、ワイヤの一端を精度よく基板に固定することができなくなるという問題があった。
【０００７】
本発明は以上の問題に鑑みてなされたものであり、基板を支持体に取り付ける作業工程において、基板を支持体の基板受面に取り付けるのに用いられる取付ねじを締め付けるという作業を行うだけで、基板が位置ずれすることなく支持体に精度よく位置決めされた状態で取り付けられるようになる光ピックアップを提供することを目的とする。
【課題を解決するための手段】
【０００８】
本発明に係る光ピックアップは、支持体の基板受面に重なり状に取り付けられた基板から延び出た弾性を備えるワイヤにより、対物レンズを備えるレンズホルダーが変位可能に支持され、そのレンズホルダーの変位によって上記対物レンズが位置制御されるようになっている光ピックアップにおいて、上記ワイヤの一端部が上記基板に具備されたワイヤ通し孔に挿通されてその基板に固着され、上記支持体と上記基板との取付箇所では、上記支持体側の定位置に具備されているねじ孔にねじ込まれた皿頭付き取付ねじの頭部裏面のテーパ面が、上記基板に具備されたＶ形開口縁を形成している２つの端縁に当接してその基板をその板面に沿う方向に押し付けていると共に、その押付け方向に位置する上記基板の一辺によって形成された基準当り面が、上記支持体の基板受面から段付状に突出した基準受面に押し付けられて上記基板が上記支持体に対して位置決めされている、というものである。
【０００９】
この光ピックアップによれば、基板の基準当り面が支持体の基準受面に押し付けられていることによって、基準受面に対する遠近方向での基板の位置が定まり、皿頭付き取付ねじの頭部裏面のテーパ面が、基板のＶ形開口縁を形成している２つの端縁に当接することによって上記遠近方向に直交する方向での基板の位置が定まっている。加えて、基板の基準受面が支持体の基準受面に押し付けられていることによって基板が皿頭付き取付ねじの締付け方向に回転変位しているという事態も生じない。したがって、支持体の基板受面に重なり状に取り付けられた基板の位置が互いに直交する２方向で精度よく定まっていることになり、基板が支持体に対して位置ずれなく取り付けられている。このため、基板を支持体に取り付ける作業工程では、皿頭付き取付ねじを締め付けるという作業を行うだけで基板が支持体の定位置に精度よく位置決めされ、併せて、支持体を治具で固定してその支持体に取り付けられている基板のワイヤ通し孔に挿通されたワイヤの一端も、ワイヤ通し孔の中心に位置して、そのワイヤの一端が精度よく基板に固定されたものになる。
【００１０】
本発明では、上記基板から平行に延び出た複数本の上記ワイヤによって上記レンズホルダーが変位可能に支持されていて、それらのワイヤのそれぞれの一端部が、上記基板の複数箇所に具備されたワイヤ通し孔に各別に挿通されてその基板に固着されているという構成を採用することができる。この構成によれば、平行に延び出た複数本のワイヤによってレンズホルダーが支持体に変位可能に支持される。
【００１１】
本発明では、上記ワイヤの一端部が上記基板に半田付けによって固着されていることが望ましい。この構成であれば、ワイヤを基板の回路パターンに電気的接続することが可能になる。
【００１２】
本発明によれば、複数本の上記ワイヤによってワイヤ群が形成されており、そのワイヤ群が、上記支持体を挟む両側に対称に配備されていることが望ましい。これによれば、支持体の両側に対称に配備されたワイヤ群によって支持体がバランスよく支持される。そのため、支持体の変位動作の安定性や支持体が変位した後の復帰作用の安定性を確保しやすくなる。
【００１３】
本発明によれば、上記レンズホルダーを変位させるための制御要素を形成しているコイルが当該レンズホルダーに具備され、そのコイルと上記基板の回路パターンとが上記ワイヤを介して電気的接続されていることが望ましい。これによれば、レンズホルダーをフォーカシング方向やトラッキング方向などに変位させるための制御信号を、ワイヤを介して制御要素に送ることが可能になる。
【００１４】
本発明に係る光ピックアップは、下記の構成を採用することによっていっそう具体化される。すなわち、支持体の基板受面に重なり状に取り付けられた基板から延び出た弾性を備えるワイヤにより、対物レンズを備えるレンズホルダーが変位可能に支持され、そのレンズホルダーの変位によって上記対物レンズが位置制御されるようになっている光ピックアップにおいて、互いに平行に配備された複数本の上記ワイヤによって形成されたワイヤ群が、上記支持体を挟む両側に対称に配備されていて、それぞれのワイヤ群を形成している個々のワイヤの一端部が、上記基板の複数箇所に具備されたワイヤ通し孔に各別に挿通されてその基板に半田付けによって固着されており、上記レンズホルダーを変位させるための制御要素を形成している複数のコイルが当該レンズホルダーに具備され、それらのコイルのそれぞれと上記基板の回路パターンとが各別の上記ワイヤを介して電気的接続され、上記支持体と上記基板との取付箇所では、上記支持体をベース部材に固定している取付具のねじ孔にねじ込まれた皿頭付き取付ねじの頭部裏面のテーパ面が、上記基板に具備された略三角形の開口のＶ形開口縁を形成している２つの端縁に当接してその基板をその板面に沿う方向に押し付けていると共に、その押付け方向に位置する上記基板の一辺によって形成された基準当り面が、上記支持体の基板受面から突出した段付面でなる基準受面に押し付けられて上記基板が上記支持体に対して位置決めされている、という構成を採用することによっていっそう具体化される。この発明の作用効果については、後述する実施形態を参照して詳細に説明する。
【発明の効果】
【００１５】
以上のように、本発明によれば、基板を支持体に取り付ける作業工程において、基板を支持体の基板受面に重なり状に取り付けるのに不可欠な皿頭付き取付ねじを締め付けるという作業を行うだけで、基板が支持体の適正位置に対して位置ずれすることなく精度よく基板に取り付けられるようになるため、レンズホルダーを支持している弾性を備えたワイヤの一端も精度よく基板に固着されるようになる。そのため、支持体の変位による対物レンズの位置制御の安定性が確保されやすくなる。また、レンズホルダーを変位させるための制御要素を形成している複数コイルのそれぞれと上記基板の回路パターンとが各別のワイヤを介して電気的接続されているものでは、レンズホルダーをフォーカシング方向やトラッキング方向などに変位させるための制御信号を、ワイヤを介して制御要素に送ることが可能になるという効果が奏される。
【発明を実施するための最良の形態】
【００１６】
図１は本発明に係る光ピックアップの概略平面図、図２は同概略側面図、図３は図２の要部の拡大ＩＩＩ矢視図、図４は取付具としての取付具８とアクトベース１００とを示した分解斜視図、図５（Ａ）は支持体と基板との取付箇所の拡大正面図、同（Ｂ）は同（Ａ）のＶＢ−ＶＢ線断面図、同（Ｃ）は同（Ａ）のＶＣ−ＶＣ線断面図である。
【００１７】
図１又は図２に示したように、この光ピックアップでは、支持体１の前面によって形成された垂直な基板受面１２に重なり状に取り付けられた基板３から複数本の弾性を備えた直線状のワイヤ４１…が延び出し、それらのワイヤ４１…によってレンズホルダー６が変位可能に支持されている。また、レンズホルダー６には対物レンズ６１が備わっているほか、フォーカシングコイル７１、トラッキングコイル７２、チルトコイル７３などが備わっている。
【００１８】
さらに詳細に説明すると、上記した複数本のワイヤ４１…は、平行に配備された３本ずつのワイヤ４１でなる２つのワイヤ群４Ａ，４Ａに分かれていて、片側のワイヤ群４Ａのそれぞれを形成している３本のワイヤ４１の各一端４２が上記基板３の左右片側の３箇所に半田付けによって各別に固着されているのに対し、それら３本のワイヤ４１の各他端４３がレンズホルダー６の左右片側の凸部６２に各別に固着されている。同様に、他側のワイヤ群４Ａのそれぞれを形成している３本のワイヤ４１の各一端４２も上記基板３の左右他側の３箇所に半田付けによって各別に固着されているのに対し、それら３本のワイヤ４１の各他端４３がレンズホルダー６の左右他側の凸部６２に各別に固着されている。そして、それぞれのワイヤ４１の一端４２と基板３との固着箇所では、図３に示したように、基板３に形成された円形のワイヤ通し孔３１の中心に挿通されたワイヤ４１の一端４２が、ワイヤ通し孔３１の孔縁に接触していない状態で基板３に半田付けされている。また、図示例では、それぞれのワイヤ４１の他端４３に近い中間部がレンズホルダー６に設けられた突起６３によって支持されていると共に、ワイヤ４１の一端に近い中間部が、支持体１の側面に具備されている凹所に装填されたダンパー材１３に埋入されて保持されている。そして、左右のワイヤ群４Ａ，４Ａは支持体１を挟む両側に対称に配備されている。さらに、上記したフォーカシングコイル７１、トラッキングコイル７２、チルトコイル７３のそれぞれは、それらの巻始端と巻終端とが、異なるワイヤ４１にそれぞれ電気的接続されている。したがって、フォーカシングコイル７１、トラッキングコイル７２、チルトコイル７３のそれぞれと基板３の回路パターンとが各別のワイヤ４１を介して電気的接続されている。
【００１９】
支持体１と基板３との取付箇所では、基板３に具備された略三角形の開口９と支持体１に具備された挿通孔１４とに挿通された皿頭付き取付ねじ５が、支持体１側の定位置に具備されているねじ孔８１（後述する）にねじ込まれている。
【００２０】
この点をさらに詳細に説明する。図３又は図５（Ａ）のように、基板３に具備されている略三角形の開口９は、底辺９１が略矩形の基板３の下端縁３３と平行になっていると共に、底辺９１の中点の上方に頂点ａを有し、その頂点ａから下拡がり状に延び出た２つの端縁９２，９２がＶ形開口縁を形成している。そして、上記ねじ孔８１にねじ込まれた皿頭付き取付ねじ５のねじ軸部５１は、略三角形の開口９の中心に対し上側へ偏って位置していると共に、皿頭付き取付ねじ５の頭部５２の裏面のテーパ面５３が、上記Ｖ形開口縁を形成している２つの端縁９２，９２に当接して基板３をその板面に沿う上方へ押し付けている。これに対し、基板３における下端縁３３と平行な一辺である上端縁が基準当り面３４として形成され、かつ、この基準当り面３４の相手方となる基準受面１５が、支持体１の上部に前向きに突き出された突片部１６の段付状の下面（段付面）によって形成されていて、その基準受面１５に基板３の基準当り面３４の全体が押し付けられている。このように、皿頭付き取付ねじ５の締付けに伴って発生する上向きの押付け力で基板３の基準当り面３４が支持体１の基準受面１５に押し付けられていることによって、基準受面１５に対する遠近方向（上下方向）での基板３の位置が定まり、皿頭付き取付ねじ５の頭部裏面のテーパ面５３が、基板３のＶ形開口縁を形成している２つの端縁９２，９２に当接することによって上記遠近方向に直交する方向での基板の位置が定まっている。加えて、基板の基準当り面３４の全体が支持体１の基準受面１５に押し付けられていることによって基板１が皿頭付き取付ねじ５の締付け時の回転方向に変位しているという事態も生じない。したがって、支持体１の基板受面１２に重なり状に取り付けられた基板３の位置が互いに直交する２方向で精度よく定まっていることになり、基板３が支持体１に対して位置ずれなく取り付けられている。このため、基板３を支持体１に取り付ける作業工程において、治具（不図示）で固定された支持体１に取り付けられている基板３のワイヤ通し孔３１に挿通されたワイヤ４１の一端４２もワイヤ通し孔３１の中心に位置していて、そのワイヤ４１の一端４２が精度よく基板３に固定されたものになる。
【００２１】
図６において、８は取付具であり、この取付具８は上記ねじ孔８１を備える立上り片部８２と座板部８３とを有していて、図１又は図２のように支持体１が立上り片部８２と座板部８３とにより形作られている入り隅部Ｓ（図４参照）に位置決めされていると共に、上記した皿頭付き取付ねじ５を活用してその入り隅部に精度よく位置決めされた状態で取り付けられている。また、座板部８３が、取付ねじ２００によってアクトベース１００に精度よく位置決めされた状態で固定されている。そして、図１又は図２のように、取付具８の立上り片部８２とアクトベース１００に具備された立上り片部１０１とにそれぞれ磁石２０１，２０２が固着されていて、これらの磁石２０１，２０２がレンズホルダー６のトラッキングコイル７２に対向している。
【００２２】
この構成を備えた光ピックアップにおいて、基板３とワイヤ４１とを介してフォーカシングコイル７１、トラッキングコイル７２又はチルトコイル７３に通電すると、その通電状態に応じ、レンズホルダー６が力を受けてワイヤ４１の撓み変形を伴って変位し、そのようなレンズホルダー６の変位によって対物レンズ６１がフォーカシング方向、トラッキング方向又はチルト方向に位置制御される。その際、３本ずつのワイヤ４１でなるワイヤ群４Ａが、支持体１を挟む両側に対称に配備されていることにより、それらのワイヤ群４Ａ，４Ａによって支持体１がバランスよく支持されるため、対物レンズ６１の位置制御が安定性よく行われ、しかも、支持体１が変位した後の復帰作用の安定性が容易に確保される。
【００２３】
また、基板３を支持体１の基板受面１２に重なり状に取り付ける作業では、基板３の開口９と支持体１の挿通孔１４に挿通した皿頭付き皿頭付き取付ねじ５のねじ軸部５１を取付具８のねじ孔８１に締め付けると、皿頭付き取付ねじの頭部裏面のテーパ面５３が開口９の２つの端縁９２，９２を押してその基板９を上方へ押し付け、基板３の基準当り面３４の全体が支持体１の基準受面１５に押し付けられるので、皿頭付き取付ねじ５を締め付けるという作業を行うだけで基板９が支持体１に精度よく位置決めされて取り付けられる。そのため、支持体１を治具で保持させて基板３のワイヤ通し孔４２の中心にワイヤ４１の一端４２が容易に挿通されるようになる。したがって、半田付けによってそのワイヤ４１の一端４２を基板３の回路パターンに半田付けした場合には、ワイヤ通し孔４２の中心にワイヤ４１の一端４２が保持される。
【図面の簡単な説明】
【００２４】
【図１】本発明に係る光ピックアップの概略平面図である。
【図２】同概略側面図である。
【図３】図２の要部の拡大ＩＩＩ矢視図である。
【図４】取付具８とアクトベース１００とを示した分解斜視図である。
【図５】（Ａ）は支持体と基板との取付箇所の拡大正面図、（Ｂ）は（Ａ）のＶＢ−ＶＢ線断面図、（Ｃ）は（Ａ）のＶＣ−ＶＣ線断面図である。
【符号の説明】
【００２５】
１  支持体
３  基板
４Ａ  ワイヤ群
５  皿頭付き取付ねじ
６  レンズホルダー
８  取付具
９  開口
１２  基板受面
１５  基準受面
３１  ワイヤ通し孔
３４  基準当り面
４１  ワイヤ
４２  ワイヤの一端部
５２  皿頭付き取付ねじの頭部
５３  テーパ面
６１  対物レンズ
７１  フォーカシングコイル（制御要素）
７２  トラッキングコイル（制御要素）
７３  チルトコイル（制御要素）
８１  ねじ孔
９２  端縁
【図１】
2005174494.tif 000003
【図２】
2005174494.tif 000004
【図４】
2005174494.tif 000005
【図５】
2005174494.tif 000006
【図３】
2005174494.tif 000007